(57)【特許請求の範囲】
【請求項１】
高周波電流を流すコイルを備えた加熱手段と、加熱手段によって発熱する表面プレートと、前記加熱手段を保護し、前記表面プレートを支持する補強部と、前記コイルと前記表面プレートが所定の距離となるよう保持するリブ部と、前記加熱手段を保持する加熱手段保持部を有する融雪パネルを備えた融雪装置。
【請求項２】
コイルと表面プレートが所定の距離となるよう保持する溝部を補強部に設けた構成の請求項１に記載の融雪装置。
【請求項３】
補強部が樹脂で構成された請求項１〜２のいずれか１項に記載の融雪装置。
【請求項４】
高周波電流を流すコイルを備えた加熱手段と、加熱手段によって発熱する表面プレートと、加熱手段を保持する加熱手段保持部を備え、加熱手段及び加熱手段保持部を地中に埋設した構成の請求項１〜３のいずれか１項に記載の融雪装置。
【請求項５】
加熱手段保持部が断熱材で構成された請求項１〜４のいずれか１項に記載の融雪装置。
【請求項６】
加熱手段保持部が熱伝導の良好な材料で構成された請求項１〜５のいずれか１項に記載の融雪装置。
【請求項７】
加熱手段が、融雪パネルの端部のコイル密度を高くした構成の請求項１〜６のいずれか１項に記載の融雪装置。
【発明の詳細な説明】
【０００１】
【発明の属する技術分野】
本発明は、主として降雪地域で用いられる融雪装置に係わり、特に一般家庭や店舗の敷地内の雪を効率的に融雪するための構成に関するものである。
【０００２】
【従来の技術】
従来、積雪の多い寒冷地においては、公共の道路はもとより、一般家庭や店舗の敷地の、特に歩道から一般家庭の玄関、車庫あるいは駐車スペースまでのアプローチの除雪作業が、積雪期の日常生活での大きな問題とされてきている。
【０００３】
これを解決するためのものとしては、発熱体として電熱線や温水パイプ等を敷地内の地面に埋設して、路面の加熱を行うことで融雪を行う融雪装置がある。「電熱線」は通電することでジュール熱によって発熱するものであり、「温水パイプ」は灯油ボイラーの燃焼で加熱した温水（実際は不凍液）を熱媒として循環することで発熱するものである。これらの加熱によって路面温度を上昇させて、路面上の雪を融雪することが一般的である。このような融雪装置は、ロードヒーティング装置、あるいはロードヒーティングとも呼ばれる。
【０００４】
発熱体としての電熱線１０４は、路床部１０１の上面に金属メッシュとともに敷設されて、コンクリート路盤部１０２、アスファルト舗装部１０３にて埋設されている。もちろん、電熱線１０４の位置に温水パイプを埋設したものもあるが、その埋設部の基本的な構成は同様である。
【０００５】
このような融雪装置１００は、降雪１０５を検知するために、降雪センサー、気温センサー、地温センサー、水分センサー（センサー類の図示は省略）を備えて、各センサーからの信号に応じて自動運転したり、あるいは使用者の判断で手動運転するための制御装置を備えている。
【０００６】
【発明が解決しようとする課題】
上述の従来構成の融雪装置１００では、発熱体である電熱線１０４や温水パイプを地表から約１００ｍｍの地中に埋設している。このため、降雪１０５をセンサーが検知して、ただちに自動運転を開始、または手動による運転を開始しても、しばらくの間は、発熱体である電熱線１０４はその上部の地面を加熱することで、融雪装置１００全体の温度を上昇させるために、運転時間と電気エネルギを必要として、降雪１０５によって地表に堆積する雪をただちに融雪するには至らない。このように、融雪までに時間がかかる。温水パイプでも、この点では同様である。
【０００７】
また、降雪１０５は、通常２４時間連続的に発生することは少なくて、間欠的に降雪することが多い。したがって、融雪装置１００の運転も、間欠的であることが多くて、その都度、低温度の外気によって、融雪装置１００の温度は低下する。そこで次回の降雪時には、一度冷却した路面全体を再度加温するために時間が必要である。このような原因によっても、電気あるいは灯油の消費量が多くなるので、ランニングコストが高い。
【０００８】
このように、積雪期全体を通じて考えると、融雪装置１００自体の温度上昇のために使用されるエネルギの割合が大きくて、また間欠的な運転によるエネルギの損失も大きい。この点からみると、従来の融雪装置はその融雪性能が不適切であって、エネルギの利用効率が低いと言える。
【０００９】
もちろん、土木工事によって、地中に発熱体を埋設する融雪装置１００であるから、その施工には長時間の工期が必要で、そのための工事費も高い。
【００１０】
そこで、玄関先や階段といった、主として人の通行が行われる場所には、単に置くだけでよいマット状の発熱体もある。これは一般には、加熱手段をその内部に一体に成形したゴムシート状のものであって、降雪時に通電すれば、比較的速やかに表面の雪を融雪できるものである。このようなものは融雪マットとも呼ばれる。
【００１１】
しかしながら、一般にはゴムシートの厚さが約１０ｍｍ程度のものであって、自動車の重量に耐えるだけの強度は有していないので、駐車スペースには使えない。また、傘の先端や、鋭利なもので突いた時の強度も、ゴムシートでは十分とは言えない。したがって、このような構成のものでは、駐車スペースやそのアプローチとしての耐久強度に関して課題があるといえる。また、表面の傷や変色等によって劣化した場合には、発熱体全体を交換する必要があって、日常の維持管理には相当の作業と交換費用を要するので、メンテナンス性に優れているとは言えない。
【００１２】
すなわち、従来の融雪装置１００や融雪マットでは、敷地内の駐車スペースやアプローチに用いるには、その融雪性能あるいは耐久強度やメンテナンスに関して課題を有する。
【００１３】
本発明は、以上のような従来の融雪装置が有している課題を解決するために、必要な耐久強度を得て、その維持管理が簡単な融雪装置であって、寒冷地の降雪特性に最適な融雪性能を発揮することで、融雪時間の短縮と、節電による省エネルギを図り、設置作業も簡単にできる融雪装置を提供することを目的としているものである。
【００１４】
【課題を解決するための手段】
本発明の融雪装置は、高周波電流を流すコイルを備えた加熱手段と、加熱手段によって発熱する表面プレートと、加熱手段を保護し、表面プレートを支持する補強部と、コイルと表面プレートが所定の距離となるよう保持するリブ部と、加熱手段を保持する加熱手段保持部を有する融雪パネルを備えたものである。
【００１５】
この発明によれば、降雪時に加熱手段に通電すれば、誘導加熱により、上部の表面プレートに直接、融雪用熱量が供給される。表面プレートの温度を速やかに上昇させて、融雪効果を発揮するので、短時間に融雪が行える。また、施工時には、土木作業を要せず、作業が非常に簡単である。すなわち、表面プレートの温度を速やかに上昇させて、少ない消費電力量で、優れた融雪性能を実現するとともに、設置作業時間を短縮できる融雪装置である。
【００１６】
【発明の実施の形態】
請求項１記載の発明は、高周波電流を流すコイルを備えた加熱手段と、加熱手段によって発熱する表面プレートと、加熱手段を保護し、表面プレートを支持する補強部と、コイルと表面プレートが所定の距離となるよう保持するリブ部と、加熱手段を保持する加熱手段保持部を有したものである。
【００１７】
この発明によれば、降雪時に加熱手段に通電すれば、誘導加熱により、上部の表面プレートに直接、融雪用熱量が供給される。表面プレートの温度を速やかに上昇させて、融雪効果を発揮するので、短時間に融雪が行える。また、施工時には、土木作業を要せず、作業が非常に簡単である。すなわち、表面プレートの温度を速やかに上昇させて、少ない消費電力量で、優れた融雪性能を実現するとともに、設置作業時間を短縮できる融雪装置である。さらに、リブ部で加熱手段と表面プレートの距離を一定にしているので、誘導加熱により、表面プレートが所定の発熱量を有すことができる。すなわち、融雪パネルの表面プレートのみ速やかに発熱させ、少ない消費電力量で、優れた融雪性能を実現するとともに、設置作業時間を短縮できる融雪装置である。
【００１８】
請求項２記載の発明は、加熱手段と表面プレートが所定の距離となるよう保持する溝部を補強部に設けた構成としたことである。
【００１９】
この発明によれば、補強部は表面プレートを支持し、加熱手段を保護するとともに、溝部で、加熱手段が勘合され、固定され、表面プレートとの距離を一定に保つ。したがって、誘導加熱により、表面プレートが所定の発熱量を有すことができる。すなわち、融雪パネルの表面プレートのみ速やかに発熱させ、少ない消費電力量で、優れた融雪性能を実現するとともに、設置作業時間を短縮できる融雪装置である。
【００２０】
請求項３記載の発明は、補強部が樹脂で構成されたことである。
【００２１】
この発明によれば、誘導加熱で補強部が発熱しないものである。したがって、補強部が発熱して、地面などに放熱することを防ぐものである。すなわち、供給される融雪用熱量を効率よく利用できるので優れた融雪性能を実現するとともに、設置作業時間を短縮できる融雪装置である。
【００２２】
請求項４記載の発明は、高周波電流を流すコイルを備えた加熱手段と、加熱手段によって発熱する表面プレートと、加熱手段を保持する加熱手段保持部を備え、加熱手段及び加熱手段保持部を地中に埋設した構成としたことである。
【００２３】
この発明によれば、表面プレートを誘導加熱できる距離を保ち、地中の浅い部分に加熱手段と加熱手段保持部を埋設することで、加熱手段の耐荷重性が得られるとともに、地面に露出している表面プレートは、誘導加熱され、速やかに発熱するものである。したがって、耐荷重性と、少ない消費電力量で、優れた融雪性能を発揮するものである。
【００２４】
請求項５記載の発明は、加熱手段保持部を断熱材で構成したことである。
【００２５】
この発明では、降雪時に加熱手段に通電すれば、誘導加熱により上部の表面プレートに融雪用熱量が供給される。表面プレートの温度を速やかに上昇させるとともに、表面プレート下部に断熱材で構成された加熱手段保持部が設置されているため、表面プレート下方部への放熱を防ぎ、融雪効果を発揮するので、短時間に融雪が行える。すなわち、表面プレートの温度を速やかに上昇させて、少ない消費電力量で、優れた融雪性能を実現するとともに、設置作業時間を短縮できる融雪装置である。
【００２６】
請求項６記載の発明は、加熱手段保持部を熱伝導の良好な材料で構成したことである。
【００２７】
この発明では、融雪用熱量を表面プレート上に均一分布させるものである。したがって、表面プレート上の雪をむらなく融かすことが可能である。すなわち、表面プレートの温度を速やかに上昇させて、少ない消費電力量で、優れた融雪性能を実現するとともに、設置作業時間を短縮できる融雪装置である。
【００２８】
請求項７記載の発明は、加熱手段が、融雪パネルの端部のコイル密度を高くした構成にしたことである。
【００２９】
この発明では、複数の融雪パネルを設置した場合、各融雪パネルの隣接付近は、コイルが装着しぬくく、発熱量が十分であるといえない。したがって、融雪パネル端部近傍で、加熱手段のコイル密度をあげることで、発熱量が増加し、端部へ熱伝導され、融雪されるものである。したがって、表面プレート上の雪をむらなく融かすことが可能である。すなわち、表面プレートの温度を速やかに上昇させて、少ない消費電力量で、優れた融雪性能を実現するとともに、設置作業時間を短縮できる融雪装置である。
【００３０】
【実施例】
以下、この発明の実施例について、図面を参照しつつ説明する。
【００３１】
（実施例１）
図１に示すように、融雪パネル１を、路盤部３上の舗装部２の上面に複数枚設置して、降雪４を融雪する融雪装置５とするものであって、家庭や店舗などにおいて歩道から玄関および駐車スペースに至るアプローチを含めた融雪装置敷設部を形成するものである。
【００３２】
この融雪パネル１の内部の構成を図２に示す。７は加熱手段であって、高周波電流を通電することで誘導加熱できるコイルが所定の間隔で設けてある。８は加熱手段７の上部に配置された表面プレートである。表面プレート８は、誘導加熱する磁性体の金属で構成されている。補強部９は、表面プレート８を支持し、加熱手段７に荷重がかからないように保護している。加熱手段７は、加熱手段保持部１０に防水性のテープ等により固定されており、加熱手段保持部１０も補強部９で支持されるかもしくは、表面プレート８に固定されている。１１は、滑り止め材で、表面プレート８の表面に、微細な凹凸を有する滑り止めの表面処理をおこなったり、滑り止め効果を発揮する粒子状の混合物を含む塗料（この粒子状の混合物は、骨材とも呼ばれる）を塗布したり、シート状のもの、例えばアスファルトシートなどを、表面プレート８に貼りつけて融雪水や雨水で人や自動車が不用意に滑ることを防止できるものである。なお、この融雪装置５が、降雪４を検知する降雪センサー、気温センサー、地温センサー（センサー類の図示は省略）を備えて、センサーからの信号に応じて自動運転する、あるいは使用者の判断で手動運転するための制御装置を備えている点は、従来のものと同様である。
【００３３】
図１、図２で示した融雪装置５の運転方法について説明する。分かりやすくするために、使用者自身で降雪４があることを判断して、運転を開始した場合を想定する。制御装置６は、加熱手段７に高周波電流の通電を開始して、その誘導加熱で、表面プレート８を加熱する。この表面プレート８の熱容量は小さく、且つ舗装部２の表面に設置され、更に、誘導加熱により直接加熱されるので、所定の消費電力量にて、短時間で表面プレート８の表面温度が上昇する。引き続いて供給される熱エネルギは、降雪４が融雪パネル１の表面に堆積するとすぐに、これを融雪水にするための融解熱として使用されて、短時間で融雪が行われる。
【００３４】
また、使用者は降雪４が停止したと判断すれば、直ちに運転を停止すればよいものである。もちろん、センサーの信号に基づいて自動運転もできる。いずれにせよ、従来の融雪装置１００に比べて、短時間で、したがって少ない消費電力量で融雪ができる。
【００３５】
また、実際の降雪４は、２４時間連続的に発生することは少なくて、夜間から早朝にかけて間欠的に降って、かつ日中は降らないといったように、間欠的に降雪することが多い。すなわち、融雪装置の運転も、間欠的であることが多くなる。したがって、その都度、融雪パネル１は一度冷却するものの、再度の加温には時間が短時間で行える。そのためにも、融雪パネル１の消費電力量が少なくてよいことによって、融雪装置５のランニングコストも安価である。
【００３６】
以下に本実施例の特徴を述べる。
【００３７】
第１に、高周波電流を流すコイルを備えた加熱手段７と、加熱手段７によって発熱する表面プレート８と、加熱手段７を保護し、表面プレート８を支持する補強部９と、加熱手段７を保持する加熱手段保持部１０を有する点である。補強部９で表面プレート８を支持することで、融雪パネル１上を人や自動車が通過、乗り上げても加熱手段７を保護できるものである。したがって、地表面に設置でき、更に、誘導加熱により、熱容量の小さい表面プレート８を直接加熱することで、短時間で発熱し、その融雪熱量を効率よく利用でき、少ない消費電力量で融雪ができる。もちろん、誘導加熱であるので、表面プレート８と加熱手段７の間に空隙が存在しても加熱できる。したがって、加熱手段７や表面プレート８などを持ち運びしやすいよう分割して運搬し、現場で融雪パネル１として組み立て、設置できるものである。また、加熱手段７と表面プレート８の間に空隙がある場合、表面プレート８にかかる荷重が直接かからずにすみ、耐荷重性も有するものである。すなわち、地表面に設置できる耐荷重性を有し、表面プレートの温度を速やかに上昇させて、少ない消費電力量で、優れた融雪性能を実現するとともに、設置作業時間を短縮できる融雪装置である。
【００３８】
第２に、加熱手段であるコイルと表面プレートが所定の距離となるよう保持するリブ部を設けた点である。図３に示したように、表面プレート１４下部にリブ部１７を設け、リブ部１７で加熱手段保持部１６を支持し、表面プレート１４と加熱手段１３を所定の距離になるように保持している。したがって、誘導加熱により、表面プレートが所定の発熱量を有すことができる。すなわち、融雪パネルの表面プレートのみ速やかに発熱させ、少ない消費電力量で、優れた融雪性能を実現するとともに、設置作業時間を短縮できる融雪装置である。
【００３９】
第３に、加熱手段と表面プレートが所定の距離となるよう保持する溝部を補強部に設けた点である。第２の特徴で示した点と同様の効果が得られる。図４に示したように、補強部２２は表面プレート２１を支持し、加熱手段２０を保護するとともに、溝部２４で、加熱手段２０が勘合され、固定され、表面プレート２１との距離を溝部２４の深さの距離で一定に保つ。したがって、誘導加熱により、表面プレート２１が所定の発熱量を有すことができる。また、加熱手段２０は、溝部２４で固定されているので、横ずれなども防止することができる。位置決めができるので、非常に作業性に優れているのは言うまでもない。すなわち、融雪パネル１９の表面プレート２１のみ速やかに発熱させ、少ない消費電力量で、優れた融雪性能を実現するとともに、設置作業時間を短縮できる融雪装置である。
【００４０】
第４に、補強部が樹脂で構成していることである。補強部２２が柔軟性を有し、設置場所の凹凸に対応できるものである。また、誘導加熱で補強部が発熱しないものである。したがって、補強部が発熱して、地面などに放熱することを防ぐものである。すなわち、耐荷重性と柔軟性を有し、供給される融雪用熱量を効率よく利用できるので優れた融雪性能を実現するとともに、設置作業時間を短縮できる融雪装置である。
【００４１】
第５に、高周波電流を流すコイルを備えた加熱手段と、加熱手段によって発熱する表面プレートと、加熱手段を保持する加熱手段保持部を備え、加熱手段及び加熱手段保持部を地中に埋設した構成とした点である。図５に示したように、表面プレート２８を加熱手段２７で誘導加熱できる距離を保ち、地中の浅い部分に加熱手段２７と加熱手段保持部２９を埋設することで、加熱手段２７の耐荷重性が得られるとともに、地面に露出している表面プレート２８は、誘導加熱され、速やかに発熱するものである。また、融雪パネル２５と、設置場所との段差がほとんどないため、融雪パネル２５上を通過する人が引っ掛からないものである。したがって、耐荷重性を有し、少ない消費電力量で、優れた融雪性能を発揮するものである。
【００４２】
第６に、加熱手段保持部を断熱材で構成した点である。  図６に示したように、降雪時に加熱手段３２に通電すれば、誘導加熱により上部の表面プレート３３に融雪用熱量が供給される。表面プレート３３の温度を速やかに上昇させるとともに、表面プレート３３下部に断熱材で構成された加熱手段保持部３５が設置されているため、表面プレート３３下方部への放熱を防ぎ、融雪効果を発揮するので、短時間に融雪が行える。すなわち、表面プレート３３の温度を速やかに上昇させて、少ない消費電力量で、優れた融雪性能を実現するとともに、設置作業時間を短縮できる融雪装置である。
【００４３】
第７に、加熱手段保持部を熱伝導の良好な材料で構成した点である。図６を用いて説明する。融雪用熱量を表面プレート３３上に均一分布させるものである。また、熱伝導が良好であるため、融雪パネル３１下方部へ放熱を防ぐために、表面プレート３３の下部に熱伝導性の良好な部材を配し、更に、その下部に断熱材を設置する。つまり、表面プレート３３と加熱手段３２の間に、熱伝導層と断熱層を形成してもよい。したがって、表面プレート３３上の雪をむらなく融かすことが可能である。すなわち、表面プレート３３の温度を速やかに上昇させて、少ない消費電力量で、優れた融雪性能を実現するとともに、設置作業時間を短縮できる融雪装置である。
【００４４】
第８に、加熱手段３８を、融雪パネル３７端部のコイル密度を高くした構成にした点である。図７に示したように、複数の融雪パネル３７を設置した場合、各融雪パネル３７の隣接付近は、コイルが装着しぬくく、発熱量が十分であるといえない。したがって、融雪パネル３７端部近傍で、加熱手段３８のコイル密度をあげることで、発熱量が増加し、端部へ熱伝導され、融雪されるものである。したがって、表面プレート上の雪をむらなく融かすことが可能である。すなわち、表面プレートの温度を速やかに上昇させて、少ない消費電力量で、優れた融雪性能を実現するとともに、設置作業時間を短縮できる融雪装置である。
【００４５】
【発明の効果】
この発明は、以上のように構成されているので、以下に記載されるような効果を有する。
【００４６】
請求項１記載の発明によれば、高周波電流を流すコイルを備えた加熱手段と、加熱手段によって発熱する表面プレートと、コイルと表面プレートが所定の距離となるよう保持するリブ部と、加熱手段を保護し、表面プレートを支持する補強部と、加熱手段を保持する加熱手段保持部を有し、降雪時に加熱手段に通電すれば、誘導加熱により、上部の表面プレートに直接、融雪用熱量が供給される。表面プレートの温度を速やかに上昇させて、融雪効果を発揮するので、短時間に融雪が行える。また、施工時には、土木作業を要せず、作業が非常に簡単である。すなわち、表面プレートの温度を速やかに上昇させて、少ない消費電力量で、優れた融雪性能を実現するとともに、設置作業時間を短縮できる融雪装置を提供できる。さらに、リブ部で加熱手段と表面プレートの距離を一定にしているので、誘導加熱により、表面プレートが所定の発熱量を有すことができる。すなわち、融雪パネルの表面プレートのみ速やかに発熱させ、少ない消費電力量で、優れた融雪性能を実現するとともに、設置作業時間を短縮できる融雪装置を提供できる。
【００４７】
請求項２記載の発明によれば、加熱手段と表面プレートが所定の距離となるよう保持する溝部を補強部に設けた構成とし、補強部は表面プレートを支持し、加熱手段を保護するとともに、溝部で、加熱手段が勘合され、固定され、表面プレートとの距離を一定に保つ。したがって、誘導加熱により、表面プレートが所定の発熱量を有すことができる。すなわち、融雪パネルの表面プレートのみ速やかに発熱させ、少ない消費電力量で、優れた融雪性能を実現するとともに、設置作業時間を短縮できる融雪装置を提供できる。
【００４８】
請求項３記載の発明によれば、補強部を樹脂で構成し、誘導加熱で補強部が発熱しないものである。したがって、補強部が発熱して、地面などに放熱することを防ぐものである。すなわち、供給される融雪用熱量を効率よく利用できるので優れた融雪性能を実現するとともに、設置作業時間を短縮できる融雪装置を提供できる。
【００４９】
請求項４記載の発明によれば、高周波電流を流すコイルを備えた加熱手段と、加熱手段によって発熱する表面プレートと、加熱手段を保持する加熱手段保持部を備え、加熱手段及び加熱手段保持部を地中に埋設した構成で、表面プレートを誘導加熱できる距離を保ち、地中の浅い部分に加熱手段と加熱手段保持部を埋設することで、加熱手段の耐荷重性が得られるとともに、地面に露出している表面プレートは、誘導加熱され、速やかに発熱するものである。したがって、耐荷重性と、少ない消費電力量で、優れた融雪性能を発揮する融雪装置を提供できる。
【００５０】
請求項５記載の発明によれば、加熱手段保持部を断熱材で構成し、降雪時に加熱手段に通電すれば、誘導加熱により上部の表面プレートに融雪用熱量が供給される。表面プレートの温度を速やかに上昇させるとともに、表面プレート下部に断熱材で構成された加熱手段保持部が設置されているため、表面プレート下方部への放熱を防ぎ、融雪効果を発揮するので、短時間に融雪が行える  すなわち、表面プレートの温度を速やかに上昇させて、少ない消費電力量で、優れた融雪性能を実現するとともに、設置作業時間を短縮できる融雪装置を提供できる。
【００５１】
請求項６記載の発明によれば、加熱手段保持部を熱伝導の良好な材料で構成し、融雪用熱量を表面プレート上に均一分布させるものである。したがって、表面プレート上の雪をむらなく融かすことが可能である。すなわち、表面プレートの温度を速やかに上昇させて、少ない消費電力量で、優れた融雪性能を実現するとともに、設置作業時間を短縮できる融雪装置を提供できる。
【００５２】
請求項７記載の発明は、加熱手段が、融雪パネルの端部のコイル密度を高くした構成で、複数の融雪パネルを設置した場合、各融雪パネルの隣接付近は、コイルが装着しぬくく、発熱量が十分であるといえない。したがって、融雪パネル端部近傍で、加熱手段のコイル密度をあげることで、発熱量が増加し、端部へ熱伝導され、融雪されるものである。したがって、表面プレート上の雪をむらなく融かすことが可能である。すなわち、表面プレートの温度を速やかに上昇させて、少ない消費電力量で、優れた融雪性能を実現するとともに、設置作業時間を短縮できる融雪装置を提供できる。
【図面の簡単な説明】
【図１】  本発明の実施例１における融雪装置の設置形態を示す外観図
【図２】  同実施例１の融雪パネルの要部断面図
【図３】  同実施例１の融雪パネルの要部断面図
【図４】  同実施例１の融雪パネルの斜視図
【図５】  同実施例１の融雪パネルの要部断面図
【図６】  同実施例１の融雪パネルの要部断面図
【図７】  同実施例１の融雪パネルの要部断面図
【図８】  従来の融雪装置の設置構造を示す要部断面図
【符号の説明】
１  融雪パネル
２  舗装部
３  路盤部
４  降雪
５  融雪装置
６  制御装置
７  加熱手段
８  表面プレート
９  補強部
１０  加熱手段保持部
１１  滑り止め材
１７  リブ部
２４  溝部
２６  地表面
３９  電力供給電線
１００  融雪装置
１０１  路床部
１０２  コンクリート路盤部
１０３  アスファルト舗装部
１０４  電熱線
１０５  降雪
【図１】
0004029647.tif 000002
【図２】
0004029647.tif 000003
【図３】
0004029647.tif 000004
【図４】
0004029647.tif 000005
【図５】
0004029647.tif 000006
【図６】
0004029647.tif 000007
【図７】
0004029647.tif 000008
【図８】
0004029647.tif 000009